(57)【要約】【課題】陳列された商品の前で発注者が発注データを入力することができ、且つ陳列された商品の前で発注者が所望の参考情報を参照できる低廉な携帯型発注端末を提供する。【解決手段】携帯型発注端末１０は、制御部１１と、参考情報記憶部１３と、表示部１４と、発注データを入力する発注データ入力部（バーコード読取部１５、キー入力部１６）と、参考情報の選択範囲を入力する選択範囲入力部（キー入力部１６）と、無線ＬＡＮカード１７とを備え、前記発注データ入力部が入力した前記発注データを外部出力する。制御部１１は、前記選択範囲入力部が入力した前記選択範囲に基づいて、無線ＬＡＮカード１７による無線通信を用いて、前記参考情報を記憶しているサーバ１１０から前記選択範囲に属する情報を取得し、その取得した情報を参考情報記憶部１３に記憶させ、参考情報記憶部１３に記憶させた情報に応じた表示を表示部１４に行わせる。【選択図】図１
2007206791.tif 000002
【特許請求の範囲】
【請求項１】
制御部と、記憶部と、表示部と、発注データを入力する発注データ入力部と、参考情報の選択範囲を入力する選択範囲入力部と、無線通信部とを備え、前記発注データ入力部が入力した前記発注データを外部出力する携帯型発注端末であって、
前記制御部は、前記選択範囲入力部が入力した前記選択範囲に基づいて、前記無線通信部による無線通信を用いて、前記参考情報を記憶している外部機器から前記選択範囲に属する情報を取得し、その取得した情報を前記記憶部に記憶させ、前記記憶部に記憶させた情報に応じた表示を前記表示部に行わせることを特徴とする携帯型発注端末。
【請求項２】
無線通信部を内蔵する又は着脱自在に装着する携帯型コンピュータを、
記憶手段、
表示手段、
発注データを入力する発注データ入力手段、
参考情報の選択範囲を入力する選択範囲入力手段、
前記発注データ入力手段が入力した前記発注データを外部出力する外部出力手段、及び
前記選択範囲入力手段が入力した前記選択範囲に基づいて、前記無線通信部による無線通信を用いて、前記参考情報を記憶している外部機器から前記選択範囲に属する情報を取得し、その取得した情報を前記記憶手段に記憶させ、前記記憶手段に記憶させた情報に応じた表示を前記表示手段に行わせる制御手段、
として機能させるための発注プログラム。
【発明の詳細な説明】
【技術分野】
【０００１】
本発明は、陳列された商品の前で発注者が発注データを入力することができる携帯型発注端末に関する。
【背景技術】
【０００２】
陳列された商品の前で発注者が発注データを入力することができる携帯型発注端末が、コンビニエンスストア等の小売店舗における発注業務で用いられている。そして、参考情報（例えば、過去の販売数、廃棄数、同一商品群における売上順位など）をグラフ表示することができる携帯型グラフ表示機能付発注端末装置が特許文献１で提案されている。特許文献１で提案されている携帯型グラフ表示機能付発注端末装置を用いると、陳列された商品の前で発注者が発注データを入力する際に、参考情報を参照しながら発注業務を行うことができるので、発注者にとって発注数の判断が容易になる。
【特許文献１】特開平５−１０１０８３号公報
【発明の開示】
【発明が解決しようとする課題】
【０００３】
特許文献１で提案されている携帯型グラフ表示機能付発注端末装置は、店舗コンピュータによって作成され当該店舗コンピュータから送信される参考情報（状況分析情報）に関するデータファイルを受信し、内部メモリに格納する。このため、参考情報に関するデータファイルのデータサイズは、携帯型グラフ表示機能付発注端末装置の内部メモリの記憶容量以下である必要があった。
【０００４】
携帯型グラフ表示機能付発注端末装置の内部メモリの記憶容量が小さい場合、参考情報の項目を減らしたり、各項目のデータ蓄積期間を短くしたりしなければならず、参考情報が不十分なものになってしまう。一方、参考情報の項目や各項目のデータ蓄積期間を十分に確保するために携帯型グラフ表示機能付発注端末装置の内部メモリの記憶容量を大きくすると、携帯型グラフ表示機能付発注端末装置の価格が高くなってしまうという問題があった。
【０００５】
本発明は、上記の問題点に鑑み、陳列された商品の前で発注者が発注データを入力することができ、且つ陳列された商品の前で発注者が所望の参考情報を参照できる低廉な携帯型発注端末を提供することを目的とする。
【課題を解決するための手段】
【０００６】
上記目的を達成するために本発明に係る携帯型発注端末は、制御部と、記憶部と、表示部と、発注データを入力する発注データ入力部と、参考情報の選択範囲を入力する選択範囲入力部と、無線通信部とを備え、前記発注データ入力部が入力した前記発注データを外部出力する携帯型発注端末であって、前記制御部は、前記選択範囲入力部が入力した前記選択範囲に基づいて、前記無線通信部による無線通信を用いて、前記参考情報を記憶している外部機器から前記選択範囲に属する情報を取得し、その取得した情報を前記記憶部に記憶させ、前記記憶部に記憶させた情報に応じた表示を前記表示部に行わせる構成とする。
【０００７】
本発明に係る携帯型発注端末は、携帯型であるので、陳列された商品の前で発注者が発注データを入力することができる。また、本発明に係る携帯型発注端末は、参考情報の選択範囲を特定し、無線通信を用いてその選択範囲に属する情報を取得し記憶部に保存して表示部で表示することができるので、陳列された商品の前で発注者が所望の参考情報を参照できる。また、本発明に係る携帯型発注端末は、参考情報の選択範囲を特定し、無線通信を用いてその選択範囲に属する情報を記憶部に保存して表示部で表示することができるので、参考情報の項目や各項目のデータ蓄積期間を十分に確保するために記憶部の記憶容量を大きくする必要がなく、低コスト化を図ることができる。
【０００８】
また、汎用携帯型コンピュータを用いて上記目的を達成するために、本発明に係るプログラムは、無線通信部を内蔵する又は着脱自在に装着する携帯型コンピュータを、記憶手段、表示手段、発注データを入力する発注データ入力手段、参考情報の選択範囲を入力する選択範囲入力手段、前記発注データ入力手段が入力した前記発注データを外部出力する外部出力手段、及び前記選択範囲入力手段が入力した前記選択範囲に基づいて、前記無線通信部による無線通信を用いて、前記参考情報を記憶している外部機器から前記選択範囲に属する情報を取得し、その取得した情報を前記記憶手段に記憶させ、前記記憶手段に記憶させた情報に応じた表示を前記表示手段に行わせる制御手段、として機能させるための発注プログラムとしている。
【０００９】
無線通信部を内蔵する又は着脱自在に装着する汎用携帯型コンピュータに上記発注プログラムをインストールすることによって、上記携帯型発注端末を実現することができる。
【発明の効果】
【００１０】
本発明によると、陳列された商品の前で発注者が発注データを入力することができ、且つ陳列された商品の前で発注者が所望の参考情報を参照できる低廉な携帯型発注端末を実現することができる。
【発明を実施するための最良の形態】
【００１１】
本発明の実施形態について図面を参照して以下に説明する。まず、本発明の第一実施形態について説明する。本発明の第一実施形態に係る携帯型発注端末を含む発注システムの概略構成を図１に示す。
【００１２】
小売店舗内には、本発明の第一実施形態に係る携帯型発注端末１０（以下、携帯型発注端末１０という）と、ＰＯＳ（point-of-sale）端末２０と、パーソナルコンピュータ（以下、パソコンという）３０と、無線ＬＡＮ（Local Area Network）ルータ４０とが存在する。
【００１３】
ＰＯＳ端末２０と、パソコン３０と、無線ＬＡＮルータ４０とは互いに有線ＬＡＮ接続され、無線ＬＡＮルータ４０と携帯型発注端末１０とは無線ＬＡＮ接続される。さらに、無線ＬＡＮルータ４０は、インターネット１００経由でサーバ１１０に接続されている。なお、無線ＬＡＮルータ４０と携帯型発注端末１０との間に障害物があっても無線ＬＡＮ接続を確立できるようにするために、赤外光を用いた無線ＬＡＮではなく電波（例えば２．４ＧＨｚ帯の電波や５ＧＨｚ帯の電波）を用いた無線ＬＡＮを採用することが望ましい。また、図１においては小売店舗を一つしか図示していないが、サーバ１１０はインターネット１００を介して複数の小売店舗のルータと接続可能である。
【００１４】
ＰＯＳ端末２０は、所定の期間（例えば１日）毎に集計した購買客数、販売商品名、及び販売商品毎の販売個数を、所定の期間毎に無線ＬＡＮルータ４０経由でサーバ１１０に送る。
【００１５】
パソコン３０は、データ入力担当者のキー操作により、所定の期間（例えば１日）毎の天気と、所定の期間毎に集計した販売商品毎の売れ残り数、値引き開始時間、及びピーク終了時残数とを所定の期間毎に入力し、それらの入力データを所定の期間毎に無線ＬＡＮルータ４０経由でサーバ１１０に送る。
【００１６】
サーバ１１０は、所定の期間毎に集計した購買客数、販売商品名、及び販売商品毎の販売個数と、所定の期間毎の天気と、所定の期間毎に集計した販売商品毎の売れ残り数、値引き開始時間、及びピーク終了時残数とを所定の期間毎に受け取り、所定の期間毎に集計した販売商品毎の販売個数に基づいて、同一商品群における売上順位を算出する。また、サーバ１１０は、携帯型発注端末１０から無線ルータ４０経由で発注データを受け取り、その発注データに基づいて所定の期間毎に集計した販売商品毎の仕入個数を得る。例えば、発注データに４月１日を納品日として販売商品Ａを２０個発注するというデータが含まれている場合、４月１日における販売商品Ａの仕入個数は２０個になる。そして、サーバ１１０は、上述したデータ群から、図２に示すデータテーブルに対応するデータファイル（参考情報用データファイル）を作成し、その作成したデータファイル（参考情報用データファイル）を内部メモリ（図示せず）に格納している。
【００１７】
携帯型発注端末１０は、端末全体を制御する制御部１１と、発注データを一時的に記憶する発注データ記憶部１２と、参考情報を一時的に記憶する参考情報記憶部１３と、表示部１４と、バーコード読取部１５と、テンキー及びファンクションキーを有するキー入力部１６と、携帯型発注端末本体に着脱自在に装着されている無線ＬＡＮ用無線通信部である無線ＬＡＮカード１７とを備えている。なお、無線ＬＡＮカード１７の代わりに、携帯型発注端末本体に内蔵される無線ＬＡＮ用無線通信部を設けても構わない。
【００１８】
キー入力部１６は、参考情報の選択範囲を入力する機能と、発注データの一部である納品日及び発注個数を入力する機能を有している。また、バーコード読取部１５は、発注データの一部である発注商品名を入力する機能を有している。なお、バーコード読取部１５を設けずに、キー入力部１６が発注商品名を入力する機能を有するようにしてもよい。例えば、表示部１４に商品名の一覧を表示させ、キー入力部１６のキー入力により商品名の一覧から発注商品名が選択されるようにすれば、キー入力部１６が発注商品名を入力する機能を有することになる。
【００１９】
発注者は、陳列された商品の前で商品の陳列状況を確認しながら携帯型発注端末１０を用いて発注作業を行う。
【００２０】
発注者は、必要に応じて所望の参考情報を参照する。例えば、菓子の発注作業を行う際は、菓子の商品群に属する商品に関する情報のみを参考情報の選択範囲とすることで所望の参考情報を得ることができる。また、参考情報の種々の項目（売上順位、仕入個数、販売個数など）のうち、発注者が発注作業の際に実際に参考にする項目のみを参考情報の選択範囲とすることで所望の参考情報を得ることができる。
【００２１】
発注者が参考情報を取得するためのキー操作を行うと、キー入力部１６から制御部１１に参考情報の取得を指示する信号が送られる。制御部１１は、参考情報の取得を指示する信号を受け取ると、無線ＬＡＮカード１７に無線通信を行わせて、無線ＬＡＮルータ４０経由でサーバ１１０の内部メモリに格納されているデータファイル（参考情報用データファイル）にアクセスし、データファイル（参考情報用データファイル）から参考情報の概略構成（例えば、参考情報の種々の項目、商品群の種類、データ蓄積期間など）を示すデータをサーバ１１０から無縁ＬＡＮルータ４０経由で取得し、その取得したデータに基づいて参考情報の概略構成を表示部１４に表示させるとともに、参考情報の選択範囲の入力を促す表示も表示部１４に行わせる。
【００２２】
発注者が参考情報の選択範囲を特定するためのキー操作を行うと、キー入力部１６から制御部１１に参考情報の選択範囲を特定する信号が送られる。参考情報の選択範囲としては、例えば「１２月１日〜１２月２日、天気、購買客、及び菓子に属する商品の全て項目」といった範囲が挙げられる（図２を参照）。制御部１１は、参考情報の選択範囲を特定する信号を受け取ると、無線ＬＡＮカード１７に無線通信を行わせて、無線ＬＡＮルータ４０経由でサーバ１１０の内部メモリに格納されているデータファイル（参考情報用データファイル）にアクセスし、データファイル（参考情報用データファイル）から参考情報の選択範囲に応じたデータをサーバ１１０から無縁ＬＡＮルータ４０経由で取得し、その取得したデータを参考情報記憶部１３に一時的に記憶させ、参考情報記憶部１３に一時的に記憶させたデータに応じた表示を表示部１４に行わせる。これにより、発注者は、表示部１４の表示を見ることにより、陳列された商品の前で所望の参考情報を参照することができる。
【００２３】
また、商品が陳列されている棚には商品毎に商品名を示すバーコードが設けられている。発注者がバーコード読取部１５をバーコードに近づけると、バーコード読取部１５がバーコードを読み取り、その読み取ったバーコードに応じた信号を制御部１１に送る。制御部１１は、バーコード読取部１５からの信号に基づいて、バーコード読取部１５によって読み取られたバーコードが示す商品名を判別し、その判別した商品名を発注商品名とする。発注商品名が決定すると、制御部１１は、納品日及び発注個数の入力を促す表示を表示部１４に行わせる。表示部１４の表示に従って、発注者が納品日及び発注個数を特定するためのキー操作を行うと、キー入力部１６から制御部１１に納品日及び発注個数を特定する信号が送られる。制御部１１は、納品日及び発注個数を特定する信号を受け取ると、発注商品名、納品日、及び発注個数を関連付けて発注データの一要素とし、その発注データの一要素を発注データ記憶部１２に一時的に記憶させる。その後、バーコードの読み取りと納品日及び発注個数の入力を繰り返すことで、発注データの要素数が増加する。バーコードの読み取りと納品日及び発注個数の入力を繰り返す際に、所望の参考情報を変更する必要が生じた場合、発注者は、随時、参考情報を取得するためのキー操作及び参考情報の選択範囲を特定するためのキー操作を行うとよい。
【００２４】
そして、バーコードの読み取りと納品日及び発注個数の入力が全て終了した後、発注者は発注データを送信するためのキー操作を行う。これにより、キー入力部１６から制御部１１に発注データ送信指示信号が送られる。制御部１１は、発注データ送信指示信号を受け取ると、無線ＬＡＮカード１７に無線通信を行わせて、発注データ記憶部１２に一時的に記憶させている発注データを無線ＬＡＮルータ４０経由でサーバ１１０に送り、発注データの送信が正常に行われたことを確認した後、発注データ記憶部１２に一時的に記憶させている発注データを消去する。これにより、発注作業が終了する。発注者はこの発注作業を所定の期間（例えば１日）毎に行うようにする。
【００２５】
上述した携帯型発注端末１０は、携帯型であるので、陳列された商品の前で発注者が発注データを入力することができる。また、上述した携帯型発注端末１０は、参考情報の選択範囲を特定し、無線通信を用いてその選択範囲に属する情報を取得し一時的に参考情報記憶部１３に保存して表示部１４で表示することができるので、陳列された商品の前で発注者が所望の参考情報を参照できる。また、上述した携帯型発注端末１０は、参考情報の選択範囲を特定し、無線通信を用いてその選択範囲に属する情報を取得し一時的に参考情報記憶部１３に保存して表示部１４で表示することができるので、参考情報の項目や各項目のデータ蓄積期間を十分に確保するために参考情報記憶部１３の記憶容量を大きくする必要がなく、低コスト化を図ることができる。
【００２６】
次に、本発明の第二実施形態について説明する。本発明の第二実施形態に係る携帯型発注端末を含む発注システムの概略構成を図３に示す。なお、図３において図１と同一の部分には同一の符号を付し詳細な説明を省略する。
【００２７】
図３に示す本発明の第二実施形態に係る携帯型発注端末を含む発注システムは、図１に示す本発明の第一実施形態に係る携帯型発注端末を含む発注システムにおいて携帯型発注端末１０、無線ＬＡＮルータ４０をそれぞれ本発明の第二実施形態に係る携帯型発注端末１０’（以下、携帯型発注端末１０’という）、ルータ４０’に置換し、公衆ＰＨＳ（Personal Handy-phone System）基地局１２０と、公衆ＰＨＳ網１３０と、ＩＳＤＮ（Integrated Service Digital Network）１４０とを新たに設けた構成である。公衆ＰＨＳ基地局１２０は、公衆ＰＨＳ網１３０及びＩＳＤＮ１４０経由でサーバ１１０に接続されている。
【００２８】
また、携帯型発注端末１０’は、携帯型発注端末１０において無線ＬＡＮカード１７をＰＨＳカード１８に置換した構成である。ＰＨＳカード１８は、携帯型発注端末本体に着脱自在に装着されているＰＨＳ用無線通信部である。なお、ＰＨＳカード１８の代わりに、携帯型発注端末本体に内蔵されるＰＨＳ用無線通信部を設けても構わない。
【００２９】
本発明の第二実施形態は、携帯型発注端末１０’とサーバ１１０とのデータ送受信がＰＨＳ通信によって行われている点を除いて、本発明の第一実施形態と同様である。したがって、携帯型発注端末１０’は携帯型発注端末１０と同様の効果を奏する。すなわち、携帯型発注端末１０’は、携帯型であるので、陳列された商品の前で発注者が発注データを入力することができる。また、携帯型発注端末１０’は、参考情報の選択範囲を特定し、無線通信を用いてその選択範囲に属する情報を取得し一時的に参考情報記憶部１３に保存して表示部１４で表示することができるので、陳列された商品の前で発注者が所望の参考情報を参照できる。また、携帯型発注端末１０’は、参考情報の選択範囲を特定し、無線通信を用いてその選択範囲に属する情報を取得し一時的に参考情報記憶部１３に保存して表示部１４で表示することができるので、参考情報の項目や各項目のデータ蓄積期間を十分に確保するために参考情報記憶部１３の記憶容量を大きくする必要がなく、低コスト化を図ることができる。
【００３０】
なお、上述した実施形態では、参考情報を記憶している外部機器と発注データを受け取る外部機器とが同一の機器（サーバ１１０）であったが、別個の機器であっても構わない。
【００３１】
また、携帯型発注端末からの発注データの外部出力は陳列された商品の前で行わなくてもよいので、例えばパソコン３０がクレードルを備え、本発明に係る携帯型発注端末１０又は１０’がクレードル用インターフェースを備える構成とし、本発明に係る携帯型発注端末１０又は１０’がパソコン３０のクレードルにセットされて発注データがパソコン３０経由でサーバ１１０に送信されるようにしても構わない。
【００３２】
また、本発明に係る携帯型発注端末は、専用装置によって実現してもよく、無線通信部を内蔵する又は着脱自在に装着する汎用携帯型コンピュータ（例えば、ＰＤＡ（Personal Digital Assistance）が該当する）に上述した携帯型発注端末１０又は１０’の動作を行うための発注プログラムをインストールすることによって実現してもよい。
【図面の簡単な説明】
【００３３】
【図１】は、本発明の第一実施形態に係る携帯型発注端末を含む発注システムの概略構成を示す図である。
【図２】は、参考情報に関連するデータテーブルを示す図である。
【図３】は、本発明の第二実施形態に係る携帯型発注端末を含む発注システムの概略構成を示す図である。
【符号の説明】
【００３４】
１０、１０’  本発明に係る携帯型発注端末
１１    制御部
１２    発注データ記憶部
１３    参考情報記憶部
１４    表示部
１５    バーコード読取部
１６    キー入力部
１７    無線ＬＡＮカード
１８    ＰＨＳカード
２０    ＰＯＳ端末
３０    パーソナルコンピュータ
４０    無線ＬＡＮルータ
１００    インターネット
１１０    サーバ
１２０    公衆ＰＨＳカード
１３０    公衆ＰＨＳ網
１４０    ＩＳＤＮ
【図１】
2007206791.tif 000003
【図２】
2007206791.tif 000004
【図３】
2007206791.tif 000005